【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
マッサージ機能を有する複数の脚保持部材を脚の長さ方向に並べて成り、最先端の脚保持部材には足裏の押し当て面が設けられている脚載せ部を備え、
前記最先端の脚保持部材の内側底面は、他の脚保持部材の内側底面より低い位置にあることを特徴とする脚マッサージ装置。
【請求項２】
マッサージ機能を有する複数の脚保持部材を脚の長さ方向に並べて成り、最先端の脚保持部材には足裏の押し当て面が設けられている脚載せ部と、
前記複数の脚保持部材のうち少なくとも最先端の脚保持部材を脚の長さ方向に移動可能に支持する支持装置とを備え、
前記最先端の脚保持部材の内側底面は、他の脚保持部材の内側底面より低い位置にあることを特徴とする脚マッサージ装置。
【請求項３】
前記脚載せ部の脚先側下端に車輪が取り付けられている請求項１又は２記載の脚マッサージ装置。
【請求項４】
前記支持装置の脚先側下端に車輪が取り付けられている請求項２記載の脚マッサージ装置。
【請求項５】
前記最先端の脚保持部材は、前記押し当て面、内側底面、及び、側面の３面を備えている請求項１又は２記載の脚マッサージ装置。
【請求項６】
椅子型のマッサージ機本体に脚マッサージ装置が接続されたマッサージ機において、前記脚マッサージ装置は、
マッサージ機能を有する複数の脚保持部材を脚の長さ方向に並べて成り、かつ、最先端の脚保持部材には足裏の押し当て面が設けられている脚載せ部を備え、
前記最先端の脚保持部材においてかかとを当てる内側底面は、他の脚保持部材の内側底面よりかかと後方に低くなる段差を有していることを特徴とするマッサージ機。
【手続補正２】
【補正対象書類名】明細書
【補正対象項目名】０００３
【補正方法】変更
【補正の内容】
【０００３】
【発明が解決しようとする課題】
上記のような従来の脚マッサージ装置では、溝１０２ａに足を載せるとき、かかとの収まりが悪い。
【手続補正３】
【補正対象書類名】明細書
【補正対象項目名】０００４
【補正方法】変更
【補正の内容】
【０００４】
上記のような従来の問題点に鑑み、本発明は、容易にかかとを入れることができる脚マッサージ装置及びマッサージ機を提供することを目的とする。
【手続補正４】
【補正対象書類名】明細書
【補正対象項目名】０００５
【補正方法】変更
【補正の内容】
【０００５】
【課題を解決するための手段】
本発明の脚マッサージ装置は、マッサージ機能を有する複数の脚保持部材を脚の長さ方向に並べて成り、最先端の脚保持部材には足裏の押し当て面が設けられている脚載せ部を備え、前記最先端の脚保持部材の内側底面は、他の脚保持部材の内側底面より低い位置にあることを特徴とする（請求項１）。
上記のように構成された脚マッサージ装置では、押し当て面に足裏を押し当てるとき、他の脚保持部材の内側底面より低い位置にある最先端の脚保持部材の内側底面にかかとが入る。
【手続補正５】
【補正対象書類名】明細書
【補正対象項目名】０００６
【補正方法】変更
【補正の内容】
【０００６】
また、本発明の脚マッサージ装置は、マッサージ機能を有する複数の脚保持部材を脚の長さ方向に並べて成り、最先端の脚保持部材には足裏の押し当て面が設けられている脚載せ部と、前記複数の脚保持部材のうち少なくとも最先端の脚保持部材を脚の長さ方向に移動可能に支持する支持装置とを備え、前記最先端の脚保持部材の内側底面は、他の脚保持部材の内側底面より低い位置にあることを特徴とする（請求項２）。
上記のように構成された脚マッサージ装置（請求項２）では、押し当て面に足裏を押し当てるとき、他の脚保持部材の内側底面より低い位置にある最先端の脚保持部材の内側底面にかかとが入る。
【手続補正６】
【補正対象書類名】明細書
【補正対象項目名】０００７
【補正方法】変更
【補正の内容】
【０００７】
また、上記脚マッサージ装置（請求項１）において、脚載せ部の脚先側下端に車輪が取り付けられていてもよい（請求項３）し、上記脚マッサージ装置（請求項１又は２）において、支持装置の脚先側下端に車輪が取り付けられていてもよい（請求項４）。
この場合、脚保持部材を移動させるとき車輪が床についても、車輪の転動によって脚保持部材が円滑に移動する。
【手続補正７】
【補正対象書類名】明細書
【補正対象項目名】０００８
【補正方法】変更
【補正の内容】
【０００８】
また、上記脚マッサージ装置（請求項１又は２）において、最先端の脚保持部材は、押し当て面、内側底面、及び、側面の３面を備えていてもよい（請求項５）。
【手続補正８】
【補正対象書類名】明細書
【補正対象項目名】０００９
【補正方法】変更
【補正の内容】
【０００９】
また、本発明は、椅子型のマッサージ機本体に脚マッサージ装置が接続されたマッサージ機において、前記脚マッサージ装置は、
マッサージ機能を有する複数の脚保持部材を脚の長さ方向に並べて成り、かつ、最先端の脚保持部材には足裏の押し当て面が設けられている脚載せ部を備え、前記最先端の脚保持部材においてかかとを当てる内側底面は、他の脚保持部材の内側底面よりかかと後方に低くなる段差を有していることを特徴とする（請求項６）。
上記のように構成されたマッサージ機では、押し当て面に足裏を押し当てるとき、他の脚保持部材の内側底面よりかかと後方に低くなる段差を有する最先端の脚保持部材の内側底面に、かかとが入る。
【手続補正９】
【補正対象書類名】明細書
【補正対象項目名】００２９
【補正方法】変更
【補正の内容】
【００２９】
【発明の効果】
以上のように構成された本発明は以下の効果を奏する。
請求項１の脚マッサージ装置によれば、押し当て面に足裏を押し当てるとき、他の脚保持部材の内側底面より低い位置にある最先端の脚保持部材の内側底面にかかとが入る。従って、かかとを入れやすい構造になっている。
【手続補正１０】
【補正対象書類名】明細書
【補正対象項目名】００３０
【補正方法】変更
【補正の内容】
【００３０】
請求項２の脚マッサージ装置によれば、押し当て面に足裏を押し当てるとき、他の脚保持部材の内側底面より低い位置にある最先端の脚保持部材の内側底面にかかとが入る。従って、かかとを入れやすい構造になっている。
【手続補正１１】
【補正対象書類名】明細書
【補正対象項目名】００３１
【補正方法】変更
【補正の内容】
【００３１】
請求項３又は４の脚マッサージ装置によれば、脚保持部材を移動させるとき車輪が床についても、車輪の転動によって脚保持部材が円滑に移動する。
【手続補正１２】
【補正対象書類名】明細書
【補正対象項目名】００３２
【補正方法】変更
【補正の内容】
【００３２】
請求項６のマッサージ機によれば、押し当て面に足裏を押し当てるとき、他の脚保持部材の内側底面よりかかと後方に低くなる段差を有する最先端の脚保持部材の内側底面に、かかとが入る。従って、かかとを入れやすい構造になっている。
【手続補正１３】
【補正対象書類名】明細書
【補正対象項目名】００３３
【補正方法】削除
【補正の内容】
【手続補正１４】
【補正対象書類名】明細書
【補正対象項目名】符号の説明
【補正方法】変更
【補正の内容】
【符号の説明】
１ マッサージ機
５    脚載せ部
６    支持装置
２０    車輪
５１    第１脚保持部材
５２    第２脚保持部材
５３    第３脚保持部材
５３ａ  押し当て面
６１    第１ガイドレール
６２    第２ガイドレール